(57)【要約】【課題】ユーザのタッチ操作を検出するまでに時間を要さない電子機器を提供すること【解決手段】電子機器１は、タッチパネル１７と、第１の検出部と、状態切替部５３と、を備える。照度センサ２９は、タッチパネル１７への指の接近を検出する。状態切替部５３は、タッチパネル１７の非作動状態において、照度センサ２９によりタッチパネル１７への指の接近が検出された場合、タッチパネル１７を非作動状態から作動状態に切り替える。【選択図】図４
2019219960.tif 000002
【特許請求の範囲】
【請求項１】
タッチパネルを備える電子機器において、
前記タッチパネルへの指の接近を検出する第１の検出手段と、
前記タッチパネルの非作動状態において、前記第１の検出手段により前記タッチパネルへの指の接近が検出された場合、前記タッチパネルを非作動状態から作動状態に切り替えるように制御する制御手段と、
を備えることを特徴とする電子機器。
【請求項２】
前記第１の検出手段は、前記タッチパネルの背面側に配置された照度センサを有し、前記照度センサにおいて検出される照度に基づいて、前記タッチパネルへの指の接近を検出することを特徴とする請求項１に記載の電子機器。
【請求項３】
前記制御手段は、前記タッチパネルの非作動状態において、前記照度センサにより検出された照度に基づいて、前記タッチパネルへの指の接近が検出された場合、前記タッチパネルの動作状態を非作動状態から作動状態に切り替えるように制御することを特徴とする請求項２に記載の電子機器。
【請求項４】
前記制御手段は、前記タッチパネルの非作動状態において、前記照度センサにより検出された所定時間当たりの照度の減少量が閾値以上の場合、前記タッチパネルの動作状態を非作動状態から作動状態に切り替えるように制御することを特徴とする請求項３に記載の電子機器。
【請求項５】
前記制御手段は、前記タッチパネルの非作動状態において、前記照度センサにより検出された照度の値が所定値未満の場合、前記タッチパネルの動作状態を非作動状態から作動状態に切り替えるように制御することを特徴とする請求項３又は４に記載の電子機器。
【請求項６】
角速度センサを有する第２の検出手段を備え、
前記第２の検出手段は、前記角速度センサにおいて検出された角速度に基づいて、前記タッチパネルへのタッチ操作とは異なる動作として前記電子機器の動きを検出することを特徴とする請求項１から５のいずれか一項に記載の電子機器。
【請求項７】
前記制御手段は、前記タッチパネルの非作動状態において、前記角速度センサにより検出された角速度に基づいて、前記タッチパネルへのタッチ操作とは異なる動作として前記電子機器の動きが検出された場合、前記タッチパネルを非作動状態から作動状態に切り替えるように制御することを特徴とする請求項６に記載の電子機器。
【請求項８】
前記制御手段は、前記タッチパネルの非作動状態において、前記照度センサにより検出された照度に基づいて、前記タッチパネルへの指の接近が検出され、かつ、前記角速度センサにより検出された角速度に基づいて、前記タッチパネルへのタッチ操作とは異なる動作として前記電子機器の動きが検出された場合、前記タッチパネルを非作動状態から作動状態に切り替えるように制御することを特徴とする請求項７に記載の電子機器。
【請求項９】
前記照度センサは、前記タッチパネルの非作動状態において、前記角速度センサにより検出された角速度に基づいて、前記タッチパネルへのタッチ操作とは異なる動作として前記電子機器の動きが検出された場合、照度を検出することを特徴とする請求項８に記載の電子機器。
【請求項１０】
前記非作動状態は、前記タッチパネルの待機状態を含むことを特徴とする請求項１から９のいずれか一項に記載の電子機器。
【請求項１１】
前記制御手段は前記タッチパネルの作動状態における前記タッチパネルの検出間隔を、前記タッチパネルの非作動状態における前記タッチパネルの検出間隔よりも短くすることを特徴とする請求項１から１０のいずれか一項に記載の電子機器。
【請求項１２】
タッチパネルを備えるコンピュータが行う制御方法であって、
前記タッチパネルへの指の接近を検出する第１の検出ステップと、
前記タッチパネルの非作動状態において、前記検出ステップにおいて前記タッチパネルへの指の接近が検出された場合、前記タッチパネルを非作動状態から作動状態に切り替えるように制御する制御ステップと、
を備えることを特徴とする制御方法。
【請求項１３】
タッチパネルを備えるコンピュータに、
前記タッチパネルへの指の接近を検出する第１の検出機能と、
前記タッチパネルの非作動状態において、前記検出機能において前記タッチパネルへの指の接近が検出された場合、前記タッチパネルを非作動状態から作動状態に切り替えるように制御する制御機能と、
を実現させることを特徴とする制御プログラム。
【発明の詳細な説明】
【技術分野】
【０００１】
本発明は、電子機器、制御方法及びプログラムに関する。
【背景技術】
【０００２】
近年、スマートフォン等の電子機器は、作動状態において、ユーザのタッチ操作を検出するタッチパネルを備えている。これらの電子機器は、ユーザがタッチ操作を行わない間、いわゆる非作動状態に移行することにより、電力の消費を低減する。非作動状態において、タッチパネルが所定の操作を検出した後に作動状態に復帰する。電子機器は、作動状態に復帰すると、タッチパネルの操作に応じた動作を開始する（例えば、特許文献１参照）。
【先行技術文献】
【特許文献】
【０００３】
【特許文献１】特開２０１４−１６７７６号公報
【発明の概要】
【発明が解決しようとする課題】
【０００４】
しかしながら、特許文献１等の一般的な技術では、タッチパネルを作動状態に復帰させるために、ユーザがタッチパネルとは異なる操作部に対して所定の操作を行う必要があった。従って、ユーザがタッチパネルを操作しようとしてから、実際にタッチパネルがユーザのタッチ操作を検出するまでに一定の時間を要した。
【０００５】
本発明は、このような状況に鑑みてなされたものであり、ユーザのタッチ操作を検出するまでに時間を要さない電子機器を提供することを目的とする。
【課題を解決するための手段】
【０００６】
上記目的を達成するため、本発明の一態様の電子機器は、
タッチパネルを備え、
前記タッチパネルへの指の接近を検出する第１の検出手段と、
前記タッチパネルの非作動状態において、前記第１の検出手段により前記タッチパネルへの指の接近が検出された場合、前記タッチパネルを非作動状態から作動状態に切り替えるように制御する制御手段と、
を備えることを特徴とする。
【発明の効果】
【０００７】
本発明によれば、ユーザのタッチ操作を検出するまでに時間を要さない電子機器を提供することが出来る。
【図面の簡単な説明】
【０００８】
【図１】本発明の一実施形態である電子機器の概略図である。
【図２】電子機器のハードウェア構成を示すブロック図である。
【図３Ａ】電子機器の表示領域における照度センサの設置形態を示す模式図である。
【図３Ｂ】図３ＡにおけるＸ−Ｘ’断面を示す模式図である。
【図４】図２の電子機器の機能的構成のうち、検出間隔制御処理を実行するための機能的構成を示す機能ブロック図である。
【図５】図４の機能的構成を有する図１の電子機器が実行する検出間隔制御処理の流れを説明するフローチャートである。
【発明を実施するための形態】
【０００９】
以下、本発明の実施形態について、図面を用いて説明する。
［構成］
図１は、本発明の第１実施形態である電子機器１の概略図である。
図１に示すように、本実施形態の電子機器１は、所謂スマートウォッチと称される腕時計型の装置として構成されている。また、電子機器１は、第１表示部１８及び第２表示部２４を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であると共に、表示内容にタッチ操作することが可能となっている。
【００１０】
又、ユーザの所謂チルト動作に伴って、表示の変更が行われる。電子機器１は、通常、第２表示部２４の表示内容を表示しており、ユーザのチルト動作を検出すると第１表示部１８の表示内容を表示する。
以下で詳述するが、第２表示部２４は、所謂セグメント液晶であって、例えば、７セグメントの時計表示を行うことが出来る。又、第２表示部２４の下層にある第１表示部１８は、所謂有機ＥＬディスプレイであって、７セグメントの時計表示のバックライトとして機能することがある。或いは、電子機器１が、第２表示部２４のセグメント液晶の全ての領域を透過状態に制御することによって、第１表示部１８の有機ＥＬディスプレイに、電子メールの受信情報や地図情報等の高度な情報を表示させることもできる。ユーザは、タッチパネル１７を介して、これらの地図情報等の表示内容をタッチ操作することが出来る。
【００１１】
このような、タッチパネル１７を備える電子機器１は、本発明の一実施形態において、タッチパネル１７へのタッチ操作とは異なる動作を検出する。電子機器１は、タッチパネル１７の非作動状態において、タッチパネル１７へのタッチ操作とは異なる動作を検出した場合、タッチパネル１７を非作動状態から作動状態に切り替える。なお、タッチ操作とは異なる動作は、例えば、以下に詳述するタッチパネルへの指の接近や所定のチルト動作等である。
このように、電子機器１は、タッチ操作とは異なる動作を検出することによって、ユーザのタッチ操作の予備動作を検出して、タッチパネル１７を作動状態に復帰させる。これにより、ユーザにタッチ操作を検出するまでに時間を要さない電子機器を提供することが出来る。
【００１２】
［ハードウェア構成］
図２は、電子機器１のハードウェア構成を示すブロック図である。
図２に示すように、電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８と、第１入力部１９と、ブルートゥース（登録商標）アンテナ２０と、ブルートゥース（登録商標）モジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１３】
ＣＰＵ１１は、第１ＣＰＵ１１Ａと、第２ＣＰＵ１１Ｂとによって構成される。
第１ＣＰＵ１１Ａは、各種演算処理を行い、ＯＳの処理を実行することにより、電子機器１におけるスマートフォンに類する機能を制御する。本実施形態において、第１ＣＰＵ１１Ａは、ブルートゥース（登録商標）モジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
また、本実施形態において、第１ＣＰＵ１１Ａは、ＲＴＣ部１５から所定タイミングで時刻信号を取得する。
【００１４】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施形態において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１５】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１６】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１７】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１８】
ドライブ１６には、半導体メモリ等よりなる、リムーバブルメディア４１が適宜装着される。リムーバブルメディア４１は、各種センサによって検出されたデータ等の各種データを記憶することができる。
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００１９】
第１表示部１８は、有機ＥＬディスプレイ（Ｏｒｇａｎｉｃ  Ｌｉｇｈｔ  Ｅｍｉｔｔｉｎｇ  Ｄｉｏｄｅ）によって構成され、第１ＣＰＵ１１Ａの制御に従って、各種情報を表示画面に表示する。
第１入力部１９は、音声を電気信号に変換するマイクを備え、入力された音声（操作のための音声コマンド等）を示す信号を第１ＣＰＵ１１Ａに出力する。
【００２０】
ブルートゥースアンテナ２０は、ブルートゥースの規格に基づく電磁波を送受信するアンテナであり、例えばモノポールアンテナ等によって構成される。ブルートゥースアンテナ２０は、ブルートゥースモジュール２１から入力された無線通信の電気信号を電磁波として送信したり、受信した電磁波を電気信号に変換してブルートゥースモジュール２１に出力したりする。
ブルートゥースモジュール２１は、第１ＣＰＵ１１Ａの指示に従って、ブルートゥースアンテナ２０を介して他の装置に信号を送信する。また、ブルートゥースモジュール２１は、他の装置から送信された信号を受信し、受信した信号が示す情報を第１ＣＰＵ１１Ａに出力する。
【００２１】
無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２２】
ＧＰＳアンテナ３１は、ＧＰＳにおける衛星から発信される電波を受信して電気信号に変換し、変換した電気信号（以下、「ＧＰＳ信号」と称する。）をＧＰＳモジュール３２に出力する。
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００２３】
第２表示部２４は、部分的にまたは全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示、例えば、セグメント表示をする。
本実施形態において、第２表示部２４であるＰＮ液晶ディスプレイは、図３Ｂに示すように、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。即ち、電子機器１の表示領域では、第１表示部１８による表示に第２表示部２４による表示を重ね合わせた状態で表示することができるようになっている。
【００２４】
脈拍センサ２５は、電子機器１の裏面側（ユーザの腕に面する側）に設置され、電子機器１が装着されたユーザの脈拍を検出する。
地磁気センサ２６は、地磁気の方向を検出し、検出した地磁気の方向を示す情報を第２ＣＰＵ１１Ｂに出力する。
加速度センサ２７は、電子機器１における３軸方向の加速度を検出し、検出した加速度を示す情報を第２ＣＰＵ１１Ｂに出力する。
ジャイロセンサ２８は、第２の検出部に含まれており、電子機器１における３軸方向の角速度を検出し、検出した角速度を示す情報を第２ＣＰＵ１１Ｂに出力する。第２ＣＰＵ１１Ｂに出力された角速度を示す情報は、第１ＣＰＵ１１Ａに伝達される。第１ＣＰＵ１１Ａは、後述するように、角速度を示す情報に基づいて、タッチパネル１７のタッチ操作の検出間隔を調整する処理（後述する、検出間隔制御処理）を実行する。
照度センサ２９は、第１の検出部に含まれており、第１表示部１８の裏面側の所定箇所に設置され、電子機器１の表示領域における明るさとして、例えば照度を検出し、検出した照度を示す情報を第２ＣＰＵ１１Ｂに出力する。第１ＣＰＵ１１Ａは、後述するように、照度センサ２９によって検出された明るさに基づいて、第１表示部１８の表示画面の輝度を調整する処理や、タッチパネル１７のタッチ操作の検出間隔を調整する処理（後述する、検出間隔制御処理）を実行する。なお、第２表示部２４が不透過状態の場合、照度センサ２９への所定量の入射光がセグメント表示によって一部遮られるが、照度センサ２９は照度を検出することができる。
第２入力部３０は、各種ボタンで構成され、ユーザの指示操作に応じて各種情報を入力する。
【００２５】
図３Ａは、電子機器１の表示領域における照度センサ２９の設置形態を示す模式図である。また、図３Ｂは、図３ＡにおけるＸ−Ｘ’断面を示す模式図である。
図３Ａに示すように、照度センサ２９は、第１表示部１８及び第２表示部２４の表示領域における所定箇所（図３Ｂにおいては、破線で示す中央右下の位置）に設置される。
また、図３Ｂに示すように、電子機器１の表示領域は、表面側からカバーガラスＣＧ、タッチパネル１７、第２表示部２４、第１表示部１８、黒色シートＢＳ、メイン基板ＭＢの順に積層された断面構造を有している。
【００２６】
これらのうち、黒色シートＢＳは、第２表示部２４及び第１表示部１８を透過して視認した場合の発色を調整する部材であり、本実施形態では、黒色が視認される構成となっている。また、黒色シートＢＳの一部には、貫通穴Ｈが形成されており、この貫通穴Ｈの中に照度センサ２９が設置されている。そのため、照度センサ２９には、電子機器１の表示領域における表面側から光が入射する構造となっており、電子機器１が明るい外光下に置かれ、表示領域の照度が高くなっていることや、電子機器１のタッチパネル１７をユーザが指で操作し、指によって覆われることで表示領域の照度が低くなっていること等を検出することができる。
【００２７】
［機能的構成］
図４は、図１の電子機器１の機能的構成のうち、検出間隔制御処理を実行するための機能的構成を示す機能ブロック図である。
検出間隔制御処理とは、センサ情報取得部５１が取得した照度の変化量（減少量）に基づいて、予備動作検出部５２がユーザのタッチ操作の予備動作を検出することによって、状態切替部５３がタッチパネル１７の状態を切替え、検出間隔制御部５４がタッチパネル１７の検出間隔を制御する、一連の処理をいう。
【００２８】
検出間隔制御処理を実行する場合には、図４に示すように、ＣＰＵ１１において、センサ情報取得部５１と、予備動作検出部５２と、状態切替部５３と、検出間隔制御部５４が機能する。
【００２９】
センサ情報取得部５１は、種々のセンサが検出した情報を取得する。例えば、照度センサ２９が検出した明るさに関する情報としての照度を取得する。或いは、センサ情報取得部５１は、ジャイロセンサ２８が検出した角速度を取得する。
【００３０】
予備動作検出部５２は、所定の条件を満たす場合に、ユーザのタッチ操作の予備動作を検出する。例えば、予備動作検出部５２は、センサ情報取得部５１によって取得された照度及び／又は角速度に基づいて、ユーザのタッチ操作の予備動作を検出する。
【００３１】
状態切替部５３は、予備動作検出部５２による予備動作の検出に応じて、タッチパネル１７の状態を切り替える。例えば、非作動状態において、予備動作検出部５２が予備動作を検出すると、状態切替部５３は、タッチパネル１７を作動状態に切り替える。
本実施形態における非作動状態とは、作動状態と比較して、タッチパネル１７の検出間隔が長い状態である。又、後述する待機状態とは、タッチパネル１７がユーザの指の接触を検出しない状態である。即ち、本実施形態における非作動状態は、待機状態を含む状態である。
【００３２】
検出間隔制御部５４は、状態切替部５３の切り替えに応じて、タッチパネル１７のタッチ操作の検出間隔を調整する。検出間隔とは、例えば、ユーザの指のタッチパネル１７への接触を検出するための間隔である。検出間隔が短い場合、タッチパネル１７は、ユーザの指の接触を頻繁に検出するため、ユーザはタッチパネル１７を快適に操作することが可能となる。
【００３３】
また、記憶部１４の一領域には、センサ情報記憶部１４１が設定される。センサ情報記憶部１４１には、照度センサ２９によって取得された、照度に関する情報が記憶される。
【００３４】
［検出間隔制御処理］
図５は、図４の機能的構成を有する図１の電子機器１が実行する検出間隔制御処理の流れを説明するフローチャートである。
検出間隔制御処理は、例えば、電子機器１の電源が入っている間実行されている。又、本実施形態において、ジャイロセンサ２８は常時角速度を検出可能であり、且つ、照度センサ２９は、常時照度を検出可能な状態となっている。
【００３５】
ステップＳ１１において、ジャイロセンサ２８は、角速度を検出する。ジャイロセンサ２８が角速度を検出すると、処理はステップＳ１２に進む。
【００３６】
ステップＳ１２において、センサ情報取得部５１は、検出された角速度を取得し、予備動作検出部５２へ角速度の情報を伝達する。予備動作検出部５２は、角速度が閾値以上であるか否か判定する。
角速度が閾値未満である場合、処理はステップＳ１１に戻る。一方、角速度が閾値以上である場合、処理はステップＳ１３に進む。例えば、ユーザが電子機器１の表示部を観察するためにチルトの動作を行うと、角速度が閾値以上となる。従って、角速度が閾値以上である場合、予備動作検出部５２は、この後タッチパネル１７の操作が行われると推定し、予備動作を検出する。
ここで、閾値は、例えば、ユーザが表示部を観察するときのチルト動作によって生じる、平均的な角速度を統計的に算出した値である。
【００３７】
ステップＳ１３では、ユーザのチルト動作に伴い、表示内容は第２表示部２４の７セグメント時計表示から、第１表示部１８の有機ＥＬディスプレイの表示内容に変更されている状態である。このように有機ＥＬディスプレイが表示されている状態において、照度センサ２９は、照度を検出する。照度センサ２９が照度を検出すると、処理はステップＳ１４に進む。
【００３８】
ステップＳ１４において、センサ情報取得部５１は、検出された照度を取得し、予備動作検出部５２へ照度の情報を伝達する。予備動作検出部５２は、照度の変化量（減少量）が所定値以上であるか否か判定する。本実施形態における照度の変化量は、例えば、照度の減少量である。
照度の変化量が所定値未満である場合、処理はステップＳ１３に戻る。一方、照度の変化量が所定値以上である場合、処理はステップＳ１５に進む。例えば、ユーザが有機ＥＬディスプレイの表示内容を操作するためにタッチパネル１７に指を近づける動作が行われると、タッチパネル１７の下層に設けられた照度センサ２９への入射光が遮られるため、照度の変化量が所定値以上となる。従って、予備動作検出部５２は、照度の変化量が所定値以上である場合、ユーザの予備動作を検出する。
【００３９】
ここで、照度の変化量は、例えば、ユーザがタッチパネル１７に指を接触させたときの照度と、ユーザがタッチパネル１７から指を遠ざけたときの照度との差を、統計的に算出した値である。又、変化量を検出する時間間隔は、ユーザがタッチパネル１７へ指を近づけるための所要時間から導出される、所定の時間間隔である。
【００４０】
ステップＳ１５において、状態切替部５３は、タッチパネル１７を作動状態にする。
ステップＳ１５の処理は、上記のように、予備動作検出部５２が、ジャイロセンサ２８を介してユーザのチルト動作を検出し、且つ、照度センサ２９を介してタッチパネル１７への指の接近を検出した場合に行われる処理である。予備動作検出部５２は、これらの条件を満たす場合に、ユーザがタッチパネル１７をタッチ操作するための予備動作を検出する。
【００４１】
ステップＳ１６において、状態切替部５３がタッチパネル１７を作動状態にすると、検出間隔制御部５４は、タッチパネル１７の検出間隔を、非作動状態と比較して相対的に短くする。
【００４２】
ステップＳ１７において、照度センサ２９は、照度を検出する。照度センサ２９が照度を検出すると、処理はステップＳ１８に進む。
【００４３】
ステップＳ１８において、センサ情報取得部５１は、検出された照度を取得し、予備動作検出部５２へ照度の情報を伝達する。予備動作検出部５２は、照度が閾値以上であるか否か判定する。
照度が閾値未満である場合、ユーザは依然としてタッチパネル１７を操作していることが推定される。このため、処理はステップＳ１６に戻り、検出間隔制御部５４は、現在の作動状態における検出間隔を維持する。
一方、ステップＳ１８において、予備動作検出部５２は、照度が閾値以上であると判定した場合、ユーザはタッチパネル１７を操作していない可能性が高いと推定される。このため、処理はステップＳ１９に進み、状態切替部５３はタッチパネル１７を、作動状態から非作動状態に切り替える。状態切替部５３がタッチパネル１７を非作動状態にすると、検出間隔制御部５４は、検出間隔を作動状態と比べて相対的に長くする。
【００４４】
ステップＳ１９において、タッチパネル１７が非作動状態に切り替えられると、処理はステップＳ２０に進む。ステップＳ２０において、終了条件を満たすか否かが判定される。終了条件は、例えば、電子機器１の電源が切られることである。終了条件を満たす場合、検出間隔制御処理は終了し、満たさない場合、処理はステップＳ１１に戻る。
【００４５】
このように、予備動作検出部５２において、チルト動作や照度センサへの指の接近等の、タッチ操作とは異なる動作が検出された場合、タッチパネル１７は作動状態になる。即ち、電子機器１が、ユーザがタッチパネル１７を操作するための予備動作を検出すると、タッチパネル１７は、特殊なタッチ操作や物理ボタンの押下等の他の操作なしで作動状態となる。このため、ユーザは即座にタッチ操作を開始することが出来る。これにより、本実施形態によれば、タッチ操作を検出するまでに時間を要さない電子機器を提供することが可能となる。
【００４６】
以上のように構成される、タッチパネル１７を備える電子機器１は、第１の検出部と、状態切替部５３と、を備える。
照度センサ２９は、タッチパネル１７への指の接近を検出する。
状態切替部５３は、タッチパネル１７の非作動状態において、照度センサ２９によりタッチパネル１７への指の接近が検出された場合、タッチパネル１７を非作動状態から作動状態に切り替える。
これにより、タッチ操作を検出するまでに時間を要さない電子機器を提供することが出来る。
【００４７】
第１の検出部は、タッチパネル１７の背面側に配置された照度センサ２９を有し、照度センサ２９において検出される照度に基づいて、タッチパネル１７への指の接近を検出する。
このように、電子機器１は、非作動状態において、照度に基づいてタッチパネル１７への指の接近を検出する。これにより、タッチ操作を検出するまでに時間を要さない電子機器を提供することが出来る。
【００４８】
状態切替部５３は、タッチパネル１７の非作動状態において、照度センサ２９により検出された照度に基づいて、タッチパネル１７への指の接近が検出された場合、タッチパネル１７の動作状態を非作動状態から作動状態に切り替えるように制御する。
このように、電子機器１は、非作動状態において、照度に基づいてタッチパネル１７への指の接近を検出する。これにより、タッチ操作を検出するまでに時間を要さない電子機器を提供することが出来る。
【００４９】
状態切替部５３は、タッチパネル１７の非作動状態において、照度センサ２９により検出された所定時間当たりの照度の減少量が閾値以上の場合、タッチパネル１７の動作状態を非作動状態から作動状態に切り替えるように制御する。
このように、電子機器１は、非作動状態において、照度の減少量に基づいて、タッチパネルの動作状態を切り替える。これにより、ユーザは即座にタッチ操作を開始することが出来る。
【００５０】
状態切替部５３は、タッチパネル１７の非作動状態において、照度センサ２９により検出された照度の値が所定値未満の場合、タッチパネル１７の動作状態を非作動状態から作動状態に切り替えるように制御する。
このように、電子機器１は、非作動状態において、照度が所定値よりも低い場合、タッチパネルの動作状態を切り替える。これにより、タッチ操作を検出するまでに時間を要さない電子機器を提供することが出来る。
【００５１】
電子機器１は、ジャイロセンサ２８を有する第２の検出手段を備える。第２の検出手段は、ジャイロセンサ２８において検出された角速度に基づいて、タッチパネル１７へのタッチ操作とは異なる動作として電子機器１の動きを検出する。
このように、電子機器１は、角速度の値に基づいて動きを検出することが出来る。
【００５２】
状態切替部５３は、タッチパネル１７の非作動状態において、ジャイロセンサ２８により検出された角速度に基づいて、タッチパネル１７へのタッチ操作とは異なる動作として電子機器１の動きが検出された場合、タッチパネル１７を非作動状態から作動状態に切り替えるように制御する。
このように、電子機器１は、非作動状態において、角速度に基づいて、タッチパネルの動作状態を切り替える。これにより、タッチ操作を検出するまでに時間を要さない電子機器を提供することが出来る。
【００５３】
状態切替部５３は、タッチパネル１７の非作動状態において、照度センサ２９により検出された照度に基づいて、タッチパネル１７への指の接近が検出され、かつ、ジャイロセンサ２８により検出された角速度に基づいて、タッチパネル１７へのタッチ操作とは異なる動作として電子機器１の動きが検出された場合、タッチパネル１７を非作動状態から作動状態に切り替えるように制御する。
このように、電子機器１は、非作動状態において、角速度及び照度に基づいて、タッチパネル１７の動作状態を切り替える。これにより、より精度良く動作状態の切替を行うことが可能であるとともに、タッチ操作を検出するまでに時間を要さない電子機器を提供することが出来る。
【００５４】
照度センサ２９は、タッチパネル１７の非作動状態において、ジャイロセンサ２８により検出された角速度に基づいて、タッチパネル１７へのタッチ操作とは異なる動作として電子機器１の動きが検出された場合、照度を検出する。
このように、電子機器１は、角速度の検出結果に基づいて、照度を検出することにより、タッチパネル１７の動作状態を切り替える。これにより、より精度良く動作状態の切替を行うことが可能であるとともに、タッチ操作を検出するまでに時間を要さない電子機器を提供することが出来る。
【００５５】
電子機器１における、非作動状態は、前記タッチパネルの待機状態を含む。
このように、電子機器１は、非作動状態及び待機状態において、タッチパネル１７の動作状態を切り替えることが可能である。これにより、タッチ操作を検出するまでに時間を要さない電子機器を提供することが出来る。
【００５６】
検出間隔制御部５４は、タッチパネル１７の作動状態におけるタッチパネル１７の検出間隔を、タッチパネル１７の非作動状態におけるタッチパネル１７の検出間隔よりも短くする。
このように、電子機器１は、予備動作検出部５２によって、ユーザのタッチ操作の予備動作が検出されると、タッチパネル１７の検出間隔を相対的に短くする。電子機器１は、検出間隔を短くすることによって、ユーザの指の接触を精度よく検出可能となる。これにより、タッチ操作を検出するまでに時間を要さない電子機器を提供することが出来る。
【００５７】
［変形例］
なお、本発明は、上述の実施形態に限定されるものではなく、本発明の目的を達成できる範囲での変形、改良等は本発明に含まれるものである。以下では、変形例について説明する。
【００５８】
＜第１変形例＞
上述の実施形態では、予備動作検出部５２が、閾値以上の角速度を検出し（ステップＳ１２）、且つ、所定値以上の照度の変化量を検出する場合（ステップＳ１４）に、状態切替部５３は、タッチパネル１７を作動状態に切り替えるが、異なる条件で切り替えてもよい。
変形例として、照度センサ２９において検出される照度の絶対値に基づいて、タッチパネル１７の状態が切り替えられてもよい。即ち、ステップＳ１２において閾値以上の角速度が検出されたのち、ステップＳ１３において照度が検出される処理までは同一であるが、ステップＳ１４における照度の判定の対象が照度の「変化量」ではなく照度の「絶対値」である点が異なる。
【００５９】
本変形例では、照度の絶対値が所定値未満である場合、処理はステップＳ１５に進み、タッチパネル１７が作動状態に切り替えられる。即ち、予備動作検出部５２が、閾値以上の角速度を検出し（ステップＳ１２）、且つ、所定値未満の照度を検出する場合（ステップＳ１４の変形例）に、状態切替部５３は、タッチパネル１７を作動状態に切り替える。
【００６０】
本変形例の電子機器１は、主としてジャイロセンサ２８によってユーザの視認動作が検出され、その検出の補助として照度センサ２９の検出値が用いられる。換言すれば、ユーザの腕の動きに応じたジャイロセンサ２８の出力値が閾値を超えることによって、ユーザの視認動作を検出する。このとき、照度センサ２９の検出値が低いと、ユーザの指がタッチパネル１７に接近していると推定される。従って、電子機器１は、ユーザがタッチパネル１７を操作しようとしているものと判定し、タッチパネル１７を作動状態に切り替える制御を行う。
このように、ユーザは、タッチパネル１７を操作する前に、タッチパネル１７を作動状態にするために、別途操作を行う必要がない。このため、本変形例によれば、タッチ操作を検出するまでに時間を要さない電子機器を提供することが出来る。
【００６１】
＜第２変形例＞
他の変形例として、上述の実施形態では、予備動作検出部５２は、角速度及び照度によって、ユーザのタッチ操作の予備動作を検出したが、これに限られない。
即ち、予備動作検出部５２は、角速度及び照度の何れか一方の値のみに基づいて、予備動作を検出してもよい。角速度のみが予備動作の検出に用いられる場合、ステップＳ１３〜Ｓ１４の処理が省略される。又、照度のみが予備動作の検出に用いられる場合、ステップＳ１１〜Ｓ１２の処理が省略される。
【００６２】
角速度のみが予備動作の検出に用いられる場合には、電子機器１は、ユーザの腕の動きに応じたジャイロセンサ２８の出力値が閾値を超えることによって、ユーザがタッチ操作を行うために腕を動かす予備動作が行われたものと推定される。このとき、タッチパネル１７は作動状態に切り替えられる。
一方、照度のみが予備動作の検出に用いられる場合には、電子機器１は、タッチパネル１７へのユーザの指の接近に応じた照度センサ２９の出力値が閾値未満であることによって、ユーザの指がタッチパネル１７に接近する予備動作が行われたものと推定される。このとき、タッチパネル１７は作動状態に切り替えられる。なお、本変形例における照度は、照度の絶対値でも変化量の何れであってもよい。
本変形例によっても、上述の実施形態と同様の効果が得られる。即ち、このため、本変形例によれば、タッチ操作を検出するまでに時間を要さない電子機器を提供することが出来る。
【００６３】
＜第３変形例＞
上述の実施形態におけるステップＳ１３では、ユーザのチルト動作に伴い、表示部は第２表示部２４の７セグメント時計表示から、第１表示部１８の有機ＥＬディスプレイの表示に変更されている状態であるが、これに限られない。
即ち、他の変形例として、上述の実施形態におけるステップＳ１１〜Ｓ１２の処理が省略されて、照度センサ２９がステップＳ１３において照度を検出する際、第２表示部２４が、７セグメント時計表示を行っている状態でもよい。このとき、照度センサ２９は、セグメント表示によって遮られた状態でも、照度を検出することが可能である。従って、ステップＳ１３〜Ｓ１４、及びステップＳ１７の処理が、上述の実施形態と同様に行われる。
【００６４】
この場合、ステップＳ１３において、照度の変化量が所定値以上であるとき、予備動作検出部５２は予備動作を検出する。予備動作が検出されると、上述の実施形態と同様の処理によって、タッチパネル１７の検出間隔は相対的に短くなるように制御される。
例えば、ユーザが、チルト動作ではなく物理ボタンを押下することによって、第２表示部２４の７セグメント時計表示から、第１表示部１８の有機ＥＬディスプレイの表示に変更する場合にも、本変形例が適用される。この場合、７セグメント時計表示の間に、タッチパネル１７が予め作動状態になっているため、表示が有機ＥＬディスプレイ変更されたとき、ユーザは即座にタッチ操作を行うことが可能である。即ち、本変形例によれば、タッチ操作を検出するまでに時間を要さない電子機器を提供することが出来る。
【００６５】
＜第４変形例＞
上述の実施形態において、予備動作検出部５２が予備動作を検出した後、ステップＳ１６において検出間隔制御部５４がタッチパネル１７の検出間隔を相対的に短くするが、これに加えて、以下の制御が行われてもよい。
他の変形例として、ステップＳ１９において非作動状態に切り替えられると、検出間隔制御部５４は、検出間隔を相対的に長くするだけではなく、ユーザのタッチ操作を全く検出しない待機状態となるような制御を行ってもよい。
本変形例によれば、タッチ操作を検出するまでに時間を要さない電子機器を提供するとともに、非作動状態及び待機状態においてより省電力なタッチパネル１７を実現することが可能となる。
【００６６】
＜第５変形例＞
他の変形例として、上述の実施形態では、予備動作検出部５２は、角速度及び照度によって、ユーザのタッチ操作の予備動作を検出したが、これに限られない。
例えば、非作動状態において、照度センサ２９は、照度を検出しないオフ状態で維持されており、ジャイロセンサ２８の出力値が閾値を超えた場合に、照度を検出するオン状態に切り替えられてもよい。そして、オン状態となった照度センサ２９によって取得された照度の絶対値が所定値未満、或いは、照度の減少量が所定値以上であるときに、タッチパネル１７が作動状態に切り替えられる。
これにより、タッチ操作を検出するまでに時間を要さない電子機器を提供することが出来る。さらに、電子機器１は、非作動状態において、照度センサ２９をオフ状態に維持できるため、省電力が実現される。
【００６７】
＜第６変形例＞
他の変形例として、変形例５の電子機器１は、角速度の検出の後に照度の検出を行うことによって、ユーザのタッチ操作の予備動作を検出したが、これに限られない。
例えば、電子機器１は、照度の検出の後に角速度の検出を行ってもよい。この場合には、非作動状態において、ジャイロセンサ２８をオフ状態にすることが出来る。或いは、電子機器１は、角速度と照度とを並行して検出する処理を行ってもよい。予備動作を検出するための角速度と照度との閾値は、上述の実施形態と同一の閾値と同一の値が用いられてもよい。
【００６８】
なお、上述の全ての実施形態において、第１の検出部は照度センサ２９を含むが、光を検出するセンサであれば、他の如何なるセンサを備えていてもよい。同様に、第２の検出部はジャイロセンサ２８を含むが、ユーザの動きを検出するセンサであれば、他の如何なるセンサを備えていてもよい。
【００６９】
また、上述の実施形態では、本発明が適用される電子機器１は、スマートウォッチを例として説明したが、特にこれに限定されない。
例えば、本発明は、検出間隔制御処理の機能を有する電子機器一般に適用することができる。具体的には、例えば、本発明は、ノート型のパーソナルコンピュータ、プリンタ、ビデオカメラ、携帯型ナビゲーション装置、携帯電話機、スマートフォン、ポータブルゲーム機等に適用可能である。
【００７０】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が電子機器１に備えられていれば足り、この機能を実現するためにどのような機能ブロックを用いるのかは特に図４の例に限定されない。例えば、状態切替部５３と検出間隔制御部５４とは、一つの制御部として構成されてもよい。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７２】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図４の記憶部１４に含まれる半導体メモリ等で構成される。
【００７３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などにより構成される全体的な装置を意味するものとする。
【００７４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７５】
以下に、本願の出願当初の特許請求の範囲に記載された発明を付記する。
［付記１］
タッチパネルを備える電子機器において、
前記タッチパネルへの指の接近を検出する第１の検出手段と、
前記タッチパネルの非作動状態において、前記第１の検出手段により前記タッチパネルへの指の接近が検出された場合、前記タッチパネルを非作動状態から作動状態に切り替えるように制御する制御手段と、
を備えることを特徴とする電子機器。
［付記２］
前記第１の検出手段は、前記タッチパネルの背面側に配置された照度センサを有し、前記照度センサにおいて検出される照度に基づいて、前記タッチパネルへの指の接近を検出することを特徴とする付記１に記載の電子機器。
［付記３］
前記制御手段は、前記タッチパネルの非作動状態において、前記照度センサにより検出された照度に基づいて、前記タッチパネルへの指の接近が検出された場合、前記タッチパネルの動作状態を非作動状態から作動状態に切り替えるように制御することを特徴とする付記２に記載の電子機器。
［付記４］
前記制御手段は、前記タッチパネルの非作動状態において、前記照度センサにより検出された所定時間当たりの照度の減少量が閾値以上の場合、前記タッチパネルの動作状態を非作動状態から作動状態に切り替えるように制御することを特徴とする付記３に記載の電子機器。
［付記５］
前記制御手段は、前記タッチパネルの非作動状態において、前記照度センサにより検出された照度の値が所定値未満の場合、前記タッチパネルの動作状態を非作動状態から作動状態に切り替えるように制御することを特徴とする付記３又は４に記載の電子機器。
［付記６］
角速度センサを有する第２の検出手段を備え、
前記第２の検出手段は、前記角速度センサにおいて検出された角速度に基づいて、前記タッチパネルへのタッチ操作とは異なる動作として前記電子機器の動きを検出することを特徴とする付記１から５のいずれか一に記載の電子機器。
［付記７］
前記制御手段は、前記タッチパネルの非作動状態において、前記角速度センサにより検出された角速度に基づいて、前記タッチパネルへのタッチ操作とは異なる動作として前記電子機器の動きが検出された場合、前記タッチパネルを非作動状態から作動状態に切り替えるように制御することを特徴とする付記６に記載の電子機器。
［付記８］
前記制御手段は、前記タッチパネルの非作動状態において、前記照度センサにより検出された照度に基づいて、前記タッチパネルへの指の接近が検出され、かつ、前記角速度センサにより検出された角速度に基づいて、前記タッチパネルへのタッチ操作とは異なる動作として前記電子機器の動きが検出された場合、前記タッチパネルを非作動状態から作動状態に切り替えるように制御することを特徴とする付記７に記載の電子機器。
［付記９］
前記照度センサは、前記タッチパネルの非作動状態において、前記角速度センサにより検出された角速度に基づいて、前記タッチパネルへのタッチ操作とは異なる動作として前記電子機器の動きが検出された場合、照度を検出することを特徴とする付記８に記載の電子機器。
［付記１０］
前記非作動状態は、前記タッチパネルの待機状態を含むことを特徴とする付記１から９のいずれか一に記載の電子機器。
［付記１１］
前記制御手段は前記タッチパネルの作動状態における前記タッチパネルの検出間隔を、前記タッチパネルの非作動状態における前記タッチパネルの検出間隔よりも短くすることを特徴とする付記１から１０のいずれか一に記載の電子機器。
［付記１２］
タッチパネルを備えるコンピュータが行う制御方法であって、
前記タッチパネルへの指の接近を検出する第１の検出ステップと、
前記タッチパネルの非作動状態において、前記検出ステップにおいて前記タッチパネルへの指の接近が検出された場合、前記タッチパネルを非作動状態から作動状態に切り替えるように制御する制御ステップと、
を備えることを特徴とする制御方法。
［付記１３］
タッチパネルを備えるコンピュータに、
前記タッチパネルへの指の接近を検出する第１の検出機能と、
前記タッチパネルの非作動状態において、前記検出機能において前記タッチパネルへの指の接近が検出された場合、前記タッチパネルを非作動状態から作動状態に切り替えるように制御する制御機能と、
を実現させることを特徴とする制御プログラム。
【符号の説明】
【００７６】
１・・・電子機器，１１・・・ＣＰＵ，１１Ａ・・・第１ＣＰＵ，１１Ｂ・・・第２ＣＰＵ，１２・・・ＲＯＭ，１３・・・ＲＡＭ，１４・・・記憶部，１５・・・ＲＴＣ部，１６・・・ドライブ，１７・・・タッチパネル，１８・・・第１表示部，１９・・・第１入力部，２０・・・ブルートゥースアンテナ，２１・・・ブルートゥースモジュール，２２・・・無線ＬＡＮアンテナ，２３・・・無線ＬＡＮモジュール，２４・・・第２表示部，２５・・・脈拍センサ，２６・・・地磁気センサ，２７・・・加速度センサ，２８・・・ジャイロセンサ，２９・・・照度センサ，３０・・・第２入力部，３１・・・ＧＰＳアンテナ，３２・・・ＧＰＳモジュール，４１・・・リムーバブルメディア，ＣＧ・・・カバーガラス，ＢＳ・・・黒色シート，ＭＢ・・・メイン基板，Ｈ・・・貫通穴，５１・・・センサ情報取得部，５２・・・予備動作検出部，５３・・・状態切替部，５４・・・検出間隔制御部，１４１・・・センサ情報記憶部
【図１】
2019219960.tif 000003
【図２】
2019219960.tif 000004
【図３Ａ】
2019219960.tif 000005
【図３Ｂ】
2019219960.tif 000006
【図４】
2019219960.tif 000007
【図５】
2019219960.tif 000008